(57)【要約】【課題】  利用ユーザー数を容易に拡大することができるＳＮＳ（ソーシャルネットワーキングサービス）を構築する。【解決手段】  ユーザー情報を記憶する手段と、ユーザーに対し記憶領域をユーザー情報の書き込み自在に割り当てる手段と、アカウントを作成されるユーザーに対し、割り当てられる記憶領域を指定する２次元コードを記載した名刺を届ける手段と、受け取った名刺に記載される２次元コードに基づくアクセス要求を受け付ける手段と、アクセス要求に応じて、ユーザー端末が備える表示装置にユーザー情報を表示させる手段と、アカウントが作成されるユーザーどうしの双方向通信を実現させる手段と、アカウントが作成されるユーザーに対する課金処理を行う手段と、を有する。【選択図】図２
2020190920.tif 000002
【特許請求の範囲】
【請求項１】
ＷＥＢページを含むユーザー情報を外部から閲覧可能な状態で記憶するユーザー情報記憶手段と、
一のユーザーが操作するユーザー端末からの要求に応じ、前記一のユーザーに対し、前記ユーザー情報記憶手段における記憶領域を前記ユーザー情報の書き込み自在に割り当てるユーザーアカウント作成手段と、
前記ユーザーアカウント作成手段によってアカウントを作成される前記一のユーザーに対し、前記一のユーザーに割り当てられる前記記憶領域を指定する２次元コードを記載した名刺を作成し、該名刺を届けるための処理を行う名刺作成手段と、
他のユーザーが操作するユーザー端末による前記一のユーザーから受け取る前記名刺に記載される前記２次元コードに基づくアクセス要求を受け付けるアクセス要求受付手段と、
前記アクセス要求に応じて、前記他のユーザーが操作するユーザー端末が備える表示装置において、前記一のユーザーに関する前記ユーザー情報を表示させるユーザー情報表示手段と、
前記ユーザーアカウント作成手段によって前記アカウントが作成される前記一のユーザーと前記他のユーザーとの双方向通信を実現させる双方向通信手段と、
前記アカウントが作成されるユーザーに対する課金処理を行うユーザー課金手段と、を有することを特徴とするＳＮＳ提供装置。
【請求項２】
ＷＥＢページを含むユーザー情報を外部から閲覧可能な状態で記憶するユーザー情報記憶手段を備えるＳＮＳ提供装置におけるＳＮＳ提供方法であって、
ユーザーアカウント作成手段が、一のユーザーが操作するユーザー端末からの要求に応じ、前記一のユーザーに対し、前記ユーザー情報記憶手段における記憶領域を前記ユーザー情報の書き込み自在に割り当てるステップと、
名刺作成手段が、前記ユーザーアカウント作成手段によってアカウントを作成される前記一のユーザーに対し、前記一のユーザーに割り当てられる前記記憶領域を指定する２次元コードを記載した名刺を作成し、該名刺を届けるための処理を行うステップと、
アクセス要求受付手段が、他のユーザーが操作するユーザー端末による前記一のユーザーから受け取る前記名刺に記載される前記２次元コードに基づくアクセス要求を受け付けるステップと、
ユーザー情報表示手段が、前記アクセス要求に応じて、前記他のユーザーが操作するユーザー端末が備える表示装置において、前記一のユーザーに関する前記ユーザー情報を表示させるステップと、
双方向通信手段が、前記ユーザーアカウント作成手段によって前記アカウントが作成される前記一のユーザーと前記他のユーザーとの双方向通信を実現させるステップと、
ユーザー課金手段が、前記アカウントが作成されるユーザーに対する課金処理を行うステップと、を含むＳＮＳ提供方法。
【請求項３】
コンピューターに、請求項２に記載の方法を実行させるためのＳＮＳ提供プログラム。
【発明の詳細な説明】
【技術分野】
【０００１】
ソーシャルネットワーキングサービスを提供する技術に関する。
【背景技術】
【０００２】
ＳＮＳ（Social Networking Service）とは、種々の捉え方があるが、狭義には、人と人とのつながりを促進・サポートする、コミュニティ型の会員制のサービスと定義されるようである。近年、そのＳＮＳを利用する人が多く、また、ＳＮＳに多くの人が集まるが故に、ＳＮＳ内で交わされるコミュニケーションをビジネスに活用する事例も多い。
【発明の概要】
【発明が解決しようとする課題】
【０００３】
従来、新たにＳＮＳに関連するビジネスを始める場合、利用者数を増加させるためにはある程度の時間を要するという問題点があった。
【０００４】
そこで本発明では、上記問題点に鑑み、利用ユーザー数を容易に拡大することができるＳＮＳ（ソーシャルネットワーキングサービス）を構築するＳＮＳ提供装置を提供することを目的とする。
【課題を解決するための手段】
【０００５】
開示するＳＮＳ提供装置の一形態は、ＷＥＢページを含むユーザー情報を外部から閲覧可能な状態で記憶するユーザー情報記憶手段と、一のユーザーが操作するユーザー端末からの要求に応じ、前記一のユーザーに対し、前記ユーザー情報記憶手段における記憶領域を前記ユーザー情報の書き込み自在に割り当てるユーザーアカウント作成手段と、前記ユーザーアカウント作成手段によってアカウントを作成される前記一のユーザーに対し、前記一のユーザーに割り当てられる前記記憶領域を指定する２次元コードを記載した名刺を作成し、該名刺を届けるための処理を行う名刺作成手段と、他のユーザーが操作するユーザー端末による前記一のユーザーから受け取る前記名刺に記載される前記２次元コードに基づくアクセス要求を受け付けるアクセス要求受付手段と、前記アクセス要求に応じて、前記他のユーザーが操作するユーザー端末が備える表示装置において、前記一のユーザーに関する前記ユーザー情報を表示させるユーザー情報表示手段と、前記ユーザーアカウント作成手段によって前記アカウントが作成される前記一のユーザーと前記他のユーザーとの双方向通信を実現させる双方向通信手段と、前記アカウントが作成されるユーザーに対する課金処理を行うユーザー課金手段と、を有することを特徴とする。
【発明の効果】
【０００６】
開示するＳＮＳ提供装置は、利用ユーザー数を容易に拡大することができるＳＮＳ（ソーシャルネットワーキングサービス）を構築する。
【図面の簡単な説明】
【０００７】
【図１】本実施の形態に係るＳＮＳ提供装置の概要を説明する図である。
【図２】本実施の形態に係るＳＮＳ提供装置の機能ブロック図である。
【図３】本実施の形態に係る名刺の一例を示す図である。
【図４】本実施の形態に係るＳＮＳ提供装置のハードウエア構成例を示す図である。
【図５】本実施の形態に係るＳＮＳ提供装置による処理例の流れを示すフローチャートである。
【図６】本実施の形態に係るＳＮＳ提供装置による処理例の流れを示すフローチャートである。
【図７】本実施の形態に係るＳＮＳ提供装置による処理例の流れを示すフローチャートである。
【発明を実施するための形態】
【０００８】
図面を参照しながら、本発明を実施するための形態について説明する。
（本実施の形態に係るＳＮＳ提供装置の動作原理）
【０００９】
図１乃至３を用いて、本実施の形態に係るＳＮＳ提供装置（以下、単に「本装置」という。）１００の動作原理について説明する。図１は、本装置１００と周辺装置２６０との接続関係を示す図であり、図２は、本装置１００の機能ブロック図であり、図３は、本実施の形態に係る名刺２９０の一例を示す図である。
【００１０】
図１で示すように、本装置１００は、通信ネットワーク３００を介して、ユーザー２２０が操作するユーザー端末２６０と接続される。通信ネットワーク３００は、有線通信ネットワークであっても良く、無線通信ネットワークであっても良い。ユーザー２２０は、説明上、異なる２人の第１ユーザー２３０、第２ユーザー２４０を想定している。また、ユーザー端末２６０は、スマートフォンのような携帯情報端末であっても良く、パーソナルコンピューターであっても良い（不図示）。本装置１００は、ユーザー端末２６０からの要求に応じ、第１ユーザー２３０、第２ユーザー２４０に対しソーシャルネットワーキングサービス（ＳＮＳ）を提供する処理を行う。
【００１１】
図２で示すように、本装置１００は、ユーザー情報記憶手段１１０、ユーザーアカウント作成手段１２０、名刺作成手段１３０、アクセス要求受付手段１４０、ユーザー情報表示手段１５０、双方向通信手段１６０、ユーザー課金手段１７０を有する。
【００１２】
ユーザー情報記憶手段１１０は、ＷＥＢページ２１０を含むユーザー情報２５０を外部から閲覧可能な状態で記憶する。ＷＥＢページ２１０は、所謂ホームページを含む概念であり、ユーザー情報２５０は、ユーザー２２０に関する情報であれば、特に内容は限定されない。
【００１３】
ユーザーアカウント作成手段１２０は、ユーザー２２０が操作するユーザー端末２６０からの要求に応じ、ユーザー２２０に対し、ユーザー情報記憶手段１１０における記憶領域をユーザー情報２５０の書き込み自在に割り当てる。ユーザー２２０は、第１ユーザー２３０、第２ユーザー２４０の何れであっても良い。ユーザーアカウント作成手段１２０は、ユーザー情報記憶手段１１０の記憶領域上に、ユーザー２２０のアカウント２７０を作成する処理を行う。
【００１４】
名刺作成手段１３０は、ユーザーアカウント作成手段１２０によってアカウント２７０を作成されるユーザー２２０に対し、ユーザー２２０に割り当てられる記憶領域を指定する２次元コード２８０を記載した名刺２９０を作成し、名刺２９０をユーザー２２０へ届けるための処理を行う。
【００１５】
図３で示すように、名刺２９０には、例えば、中央にユーザー２２０の氏名：“宝田  繁”、下部に住所：“東京都○△市□◇町１−１”、電話番号：“○○△−△△△−□◇□◇”などのユーザー情報２５０が記載されている。また、名刺２９０には、ＱＲコード（登録商標）のような２次元コード２８０によって、ユーザー情報記憶手段１１０上のアカウント２７０の記憶領域を指定する情報が記載されている。名刺２９０に記載される２次元コード以外の情報は、特に制限はなく、例えば、ユーザー情報記憶手段１１０に記憶されるユーザー情報２５０から選択・抽出する形態としても良い。
【００１６】
名刺作成手段１３０が行う名刺２９０の作成処理とは、自ら印刷処理を行う形態としても良く、他の装置へ印刷処理を指示する形態としても良い。また、名刺２９０の作成処理は、印刷処理ではなく、電子版を作成するものであっても良い。
【００１７】
名刺２９０を届けるための処理とは、実物の名刺２９０を郵送等の手配を行う形態であっても良いし、電子版のものを電子メール等で配信する形態であっても良い。
【００１８】
図３で示すように、例えば、名刺２９０を受け取った第１ユーザー２３０は、第２ユーザー２４０へ名刺２９０を手渡すものとする。名刺２９０を受け取った第２ユーザー２４０は、名刺２９０に記載される２次元コード２８０をユーザー端末２６０で読み取り、２次元コード２８０を復号化することによって、第１ユーザー２３０に割り当てられる記憶領域へアクセスすることができる。
【００１９】
アクセス要求受付手段１４０は、第２ユーザー２４０が操作するユーザー端末２６０による、第１ユーザー２３０から受け取った名刺２９０に記載される２次元コード２８０に基づく、アクセス要求を受け付ける。アクセス要求受付手段１４０は、第２ユーザー２４０による第１ユーザー２３０に関するユーザー情報２５０へのアクセス要求を受け付ける。
【００２０】
ユーザー情報表示手段１５０は、上記のアクセス要求に応じて、第２ユーザー２４０が操作するユーザー端末２６０が備える表示装置において、第１ユーザー２３０に関するユーザー情報２５０を表示させる。ユーザー情報表示手段１５０は、提供要求を受けた第１ユーザー２３０に関するユーザー情報２５０について、提供要求を行った第２ユーザー２４０が操作するユーザー端末２６０が備える表示装置上に表示させる。
【００２１】
双方向通信手段１６０は、ユーザーアカウント作成手段１２０によってアカウントが作成された第１ユーザー２３０と第２ユーザー２４０との双方向通信を実現させる。ＳＮＳのユーザーどうしの交流を促進させるためである。
【００２２】
ユーザー課金手段１７０は、ユーザーアカウント作成手段１２０によってアカウントが作成されたユーザー２３０、２４０に対する課金処理を行う。本装置１００の管理主体による収益獲得のためである。
【００２３】
慣習的に広く行われている初対面時の名刺交換のシーンにおいて、２次元コード付名刺を第２ユーザー２４０が相手に渡し、以上のプロセスで自分もこのシステム（ＳＮＳ）に参加したいと思うことで第１ユーザー２３０が生まれることにより、名刺交換を媒介としてのＳＮＳの自己増殖性が期待できる。この場合、当該ＳＮＳ参加の特典として、ＳＮＳを主催する流通企業のネットショッピングで店頭価格の、例えば、５％安く注文できるとすることによって、その企業内でネットショッピングとＳＮＳが融合することになる。
【００２４】
本装置１００は、上記のような動作原理に基づいて、利用ユーザー数を容易に拡大することができるＳＮＳ（ソーシャルネットワーキングサービス）を構築する。
（本実施の形態に係るＳＮＳ提供装置のハードウエア構成）
【００２５】
図４を用いて、本装置１００のハードウエア構成例について説明する。図４は、本装置１００のハードウエア構成の一例を示す図である。図４で示すように、本装置１００は、ＣＰＵ（Central Processing Unit）４１０、ＲＯＭ（Read-Only Memory）４２０、ＲＡＭ（Random Access Memory）４３０、補助記憶装置４４０、通信Ｉ／Ｆ４５０、入力装置４６０、出力装置４７０、記録媒体Ｉ／Ｆ４８０を有する。
【００２６】
ＣＰＵ４１０は、ＲＯＭ４２０に記憶されたプログラムを実行する装置であり、ＲＡＭ４３０に展開（ロード）されたデータを、プログラムの命令に従って演算処理し、本装置１００全体を制御する。ＲＯＭ４２０は、ＣＰＵ４１０が実行するプログラムやデータを記憶している。ＲＡＭ４３０は、ＣＰＵ４１０でＲＯＭ４２０に記憶されたプログラムを実行する際に、実行するプログラムやデータが展開（ロード）され、演算の間、演算データを一時的に保持する。
【００２７】
補助記憶装置４４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００２８】
通信Ｉ／Ｆ４５０は、有線・無線ＬＡＮ（Local Area Network）、インターネットなどの通信ネットワーク３００に接続し、通信機能を提供する他装置２６０とデータの授受を行うためのインターフェースである。
【００２９】
入力装置４６０は、キーボードやタッチパネルなど本装置１００にデータ入力を行うための装置である。出力装置４７０は、ＬＣＤ（Liquid Crystal Display）等で構成される装置であり、本装置１００が有する機能をユーザーが利用する際や各種設定を行う際のユーザーインターフェースとして機能する装置である。
記録媒体Ｉ／Ｆ４８０は、ＣＤ−ＲＯＭ、ＤＶＤ−ＲＯＭ、ＵＳＢメモリなどの記録媒体４９０とデータの送受信を行うためのインターフェースである。
【００３０】
本装置１００が有する各手段は、ＣＰＵ４１０が、ＲＯＭ４２０又は補助記憶装置４４０に記憶された各手段に対応するプログラムを実行することにより実現される形態としても良い。また、本装置１００が有する各手段は、当該各手段に関する処理をハードウエアとして実現される形態としても良い。また、通信Ｉ／Ｆ４５０を介して外部サーバー装置から本発明に係るプログラムを読み込ませたり、記録媒体Ｉ／Ｆ４８０を介して記録媒体４９０から本発明に係るプログラムを読み込ませたりして、本装置１００に当該プログラムを実行させる形態としても良い。
（本実施の形態に係るＳＮＳ提供装置による処理例）
図５乃至７を用いて、本装置１００による処理の流れを説明する。図５乃至７は、本装置１００による処理例の流れを示すフローチャートである。
【００３１】
図５で示すように、Ｓ１０でユーザーアカウント作成手段１２０が、ユーザー２２０が操作するユーザー端末２６０からの要求に応じ、ユーザー２２０に対し、ユーザー情報記憶手段１１０における記憶領域をユーザー情報２５０の書き込み自在に割り当てる。ユーザー２２０は、第１ユーザー２３０、第２ユーザー２４０の何れであっても良い。
つまり、ユーザーアカウント作成手段１２０は、ユーザー情報記憶手段１１０の記憶領域上に、ユーザー２２０のアカウント２７０を作成する処理を行う。
【００３２】
Ｓ２０で名刺作成手段１３０が、Ｓ１０においてアカウント２７０を作成されたユーザー２２０に対し、ユーザー２２０に割り当てられた記憶領域を指定する２次元コード２８０を記載した名刺２９０を作成し、名刺２９０をユーザー２２０へ届けるための処理を行う。
【００３３】
図３で示すように、名刺２９０には、例えば、中央にユーザー２２０の氏名：“宝田  繁”、下部に住所：“東京都○△市□◇町１−１”、電話番号：“○○△−△△△−□◇□◇”などのユーザー情報２５０が記載されている。また、名刺２９０には、ＱＲコード（登録商標）のような２次元コード２８０によって、ユーザー情報記憶手段１１０上のアカウント２７０の記憶領域を指定する情報が記載されている。名刺２９０に記載される２次元コード以外の情報は、特に制限はなく、例えば、ユーザー情報記憶手段１１０に記憶されるユーザー情報２５０から選択・抽出する形態としても良い。
【００３４】
なお、名刺２９０に記載される２次元コード２８０をユーザー端末で読み取り、２次元コード２８０を復号化することによって、ユーザー２２０に割り当てられる記憶領域へアクセスすることができる。
また、Ｓ２０において名刺２９０を受け取った第１ユーザー２３０は、第２ユーザー２４０へ名刺２９０を手渡すものとする。
【００３５】
Ｓ３０でアクセス要求受付手段１４０が、第２ユーザー２４０が操作するユーザー端末２６０による、第１ユーザー２３０から受け取った名刺２９０に記載される２次元コード２８０に基づく、アクセス要求を受け付ける。アクセス要求受付手段１４０は、第２ユーザー２４０による第１ユーザー２３０に関するユーザー情報２５０へのアクセス要求を受け付ける。
【００３６】
Ｓ４０でユーザー情報表示手段１５０が、Ｓ３０におけるアクセス要求に応じて、第２ユーザー２４０が操作するユーザー端末２６０が備える表示装置において、第１ユーザー２３０に関するユーザー情報２５０を表示させる。ユーザー情報表示手段１５０は、提供要求を受けた第１ユーザー２３０に関するユーザー情報２５０について、提供要求を行った第２ユーザー２４０が操作するユーザー端末２６０が備える表示装置上に表示させる。
【００３７】
慣習的に広く行われている初対面時の名刺交換のシーンにおいて、２次元コード付名刺を第２ユーザー２４０が相手に渡し、以上のプロセスで自分もこのシステム（ＳＮＳ）に参加したいと思うことで第１ユーザー２３０が生まれることにより、名刺交換を媒介としてのＳＮＳの自己増殖性が期待できる。この場合、当該ＳＮＳ参加の特典として、ＳＮＳを主催する流通企業のネットショッピングで店頭価格の、例えば、５％安く注文できるとすることによって、その企業内でネットショッピングとＳＮＳが融合することになる。
【００３８】
また、図６で示すように、Ｓ１１０で双方向通信手段１６０が、Ｓ１０においてアカウントが作成された第１ユーザー２３０と第２ユーザー２４０との双方向通信を実現させる。ＳＮＳのユーザーどうしの交流を促進させるためである。
【００３９】
さらに、図７で示すように、Ｓ２１０でユーザー課金手段１７０が、Ｓ１０においてアカウントが作成されたユーザー２３０、２４０に対する課金処理を行う。本装置１００の管理主体による収益獲得のためである。
【００４０】
上記のような処理を行うことによって、本装置１００は、利用ユーザー数を容易に拡大することができるＳＮＳ（ソーシャルネットワーキングサービス）を構築する。
【００４１】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４２】
１００  ＳＮＳ提供装置
１１０  ユーザー情報記憶手段
１２０  ユーザーアカウント作成手段
１３０  名刺作成手段
１４０  アクセス要求受付手段
１５０  ユーザー情報表示手段
１６０  双方向通信手段
１７０  ユーザー課金手段
２１０  ＷＥＢページ
２２０  ユーザー
２３０  第１ユーザー
２４０  第２ユーザー
２５０  ユーザー情報
２６０  ユーザー端末
２７０  ユーザーアカウント
２８０  ２次元コード
２９０  名刺
３００  通信ネットワーク
４１０  ＣＰＵ
４２０  ＲＯＭ
４３０  ＲＡＭ
４４０  補助記憶装置
４５０  通信インターフェース
４６０  入力装置
４７０  出力装置
４８０  記憶媒体インターフェース
４９０  記憶媒体
【図１】
2020190920.tif 000003
【図２】
2020190920.tif 000004
【図３】
2020190920.tif 000005
【図４】
2020190920.tif 000006
【図５】
2020190920.tif 000007
【図６】
2020190920.tif 000008
【図７】
2020190920.tif 000009